(57)【要約】【課題】  室外からは画像が見えて、室内の様子は見ることができず、室内からは外の様子が波板ガラスを通して見る景色のように見ることができる。又、室内に入る光量を波板ガラス同様に取り入れることができる目隠しとして使用できる一方向性画像表示パネルを提供する。【解決手段】  直角プリズムの直角を挟む面の一つに投影画像体を貼付し、投影画像体を貼付した面で二つの直角プリズムを貼り合わせ、これを構成単位として複数の構成単位を透光性の支持体の一方の面に、稜線が同一方向に伸びるように平行に付したことを特徴とする一方向性画像表示パネル。【選択図】図１
2011002798.tif 000002
【特許請求の範囲】
【請求項１】
透光性の支持体（１）の一方の面に、複数のプリズム（２）と投影画像体（３）とで構成した一方向性画像表示パネル。
【請求項２】
直角三角形を底面とする三角柱のプリズム（２）で、直角を挟む側面の一つに投影画像体（３）を貼付した請求項１の一方向性画像表示パネル。
【請求項３】
請求項２の二つのプリズム（２）を、投影画像体（３）を貼付した面で貼り合わせたものを構成単位とし、複数の構成単位を支持体（１）に、稜線が同一方向に伸びるよう平行に付した請求項１の一方向性画像表示パネル。
【発明の詳細な説明】
【技術分野】
【０００１】（イ）窓の外からは、画像が見えて室内の様子は見ることができない。
（ロ）室内からは、外の様子が波板ガラスを通して見る景色のように見える。
（ハ）該発明品を通して室内に入る光量は、通常ガラス使用の場合の約５０％以上である。
このように一方向からは透光性があり、もう一方向からは画像が見える一方向性画像表示パネルに関するものである。
【背景技術】
【０００２】  従来、一方向だけ画像が表示される構造については、次のような報告がある。
（イ）穴あき隠蔽パネルの一方向に、光反射コーティング、または、白色を施し、もう一方には光吸収コーティングの画像等が施されたディスプレイで光反射コーティングされた方からパネルを通して外景が視認でき、逆から見ると画像が見える、という技術が提案されている。
また、透明基板の内側に斑点等の画像を施し、裏側の画像の場所に白色等の着色を施して、画像を施した側からパネルを通して見ると画像が見え、逆から見ると外側の景色が視認できる、という技術が提案されている。（特許文献１〜７）
（ロ）すだれ様受光物体と、そのすだれ様受光物体の片方向側へ光を照射することで、常にすだれ様受光物体の片方からのみ景色を見ることができる技術が提案されている。（特許文献８）
【先行技術文献】
【０００３】
【特許文献１】  実開平１−６８４９８号公報
【特許文献２】  特開平８−２２１０２３号公報
【特許文献３】  特開平１０−２８２９１８号公報
【特許文献４】  特開平１０−５０５０１８号公報
【特許文献５】  特開２００１−２５５８３７号公報
【特許文献６】  特開２００２−９６５５１号公報
【特許文献７】  特開２００４−２９９２２４号公報
【特許文献８】  特開平６−２９２６２９号公報
【発明の概要】
【発明が解決しようとする課題】
【０００４】  従来の技術では、パネル、もしくはすだれの開孔率、または光が透過する面積は、ほぼ５０％以下であるため、室内に届く光量も約５０％以下となる。
よって、これらのパネル、もしくはすだれを使用すると室内は暗く感じられることとなり、十分な光量を得ることができない。
また、光が透過する面積を大きくすると、画像を明確に表示することが困難になり、この二つの条件を同時に解決する方法がなかった。
【課題を解決するための手段】
【０００５】（イ）直角プリズム（２）の直角を挟む面の一つに投影画像体（３）を貼付する。
（ロ）投影画像体（３）を貼付した面と面で二つの直角プリズム（２）を貼り合わせる。      これを構成単位とする。
（ハ）複数の構成単位を透過性の支持体（１）の一方の面に、稜線が同一方向に、平行に    のびるように接着したもの。
本発明は以上の構成よりなる、プリズムの全反射を応用した一方向性画像表示パネルである。【０００６】  一方向のみ画像が見えるしくみを説明する。
（イ）外部から室内を見るとき（支持体側から見るとき）。
プリズムの全反射により、投影画像体が支持体一面に見えて、室内が見えなくなる。
この現象は、外部からの光量が室内の光量より大きいときに顕著に現れる。
ただし、プリズムを構成する物質の臨界角をαとしたたき、プリズムの角度θは、
【数式１】
θ  ≧  α
の条件を満たした時に全反射が生じ、効果が現れるので角度θとプリズムの構成物質は、この関係に適合しなければならない。
（ロ）室内から外部を見るとき（プリズム側から見るとき）。
個々のプリズムでは、プリズムの屈折現象により、プリズムより少し投影画像体側の景色が見える。
よって全体としては波板ガラス越しの外部の景色が見える。
【発明の効果】
【０００７】  本発明により、住居、店舗等の明かり窓等に、以下のような利点を付与することができる。
（イ）室内の外部に対して、何らかのメッセージを図、文字を使用して与えることができ  る一方、室内の明かり窓としての機能を併せ持たす。
（ロ）室内、店舗の窓やガラスのデザイン性を高めたインテリアが施せる一方、室内の明  かり窓としての機能を併せ持たす。
（ハ）防犯、プライバシー保護のための目隠しとして使用していた全遮蔽のカーテン、壁  、板等に代わって、外部の状況を把握できるという機能を併せ持たせられる。
【図面の簡単な説明】
【０００８】
【図１】  本発明の全体構成を示した斜視図である。
【図２】  本発明の構成単位の形状を示した断面図である。
【図３】  本発明を通して外部から室内を見るときの説明図である。
【図４】  本発明を通して室内から外部を見るときの説明図である。
【発明を実施するための形態】
【０００９】  本発明の各部について以下に詳細を示す。
支持体について説明する。
（イ）形状
支持体（１）の形状、大きさとしては、特に制限は無く、目的に応じて適宜選択す    ることができる。
（ロ）厚さ
支持体（１）の厚さとしては、透光率をあまり低下させず、また、支持体（１）と    して全体の構造を保持できる強度があれば、目的に応じて適宜選択することができる    が、  一般的に１０μｍ〜３０ｍｍ位が望ましい。
（ハ）材質
支持体（１）の材質としては透光性に優れているものであれば制限はない。
たとえば、樹脂、ガラスなど使用可能である。
【００１０】  プリズムについて説明する。
（イ）形状
底面が直角三角形である三角柱であり、底面の直角を挟む一つの面が支持体（１）に接着していて、三角柱が支持体（１）と直交する面に投影画像体（３）が貼付、または描かれている。
（ロ）大きさ
プリズム（２）の大きさには制限はないが、コスト、全体の重量、透光性を考慮すると底面の直角三角形の全ての辺について１５ｍｍ以下で有る方が望ましい。
（ハ）材質
プリズム（２）の材質としては、透光性に優れていれば材質に制限はない。
たとえば、樹脂、ガラスなど使用できる。
ただし、下記に示すように、構成物質によって、プリズム（２）の角度に制限が与えられる。
（ニ）プリズムの角度
支持体（１）と接したプリズム（２）の角度θ（直角以外の角度）は、プリズムを構成する物質の臨界角以上の角度となる。
臨界角より小さいと、全反射の性質を失い、一方向性を失うことになる。
【００１１】  投影画像体について説明する。
紙、金属、樹脂、ガラス等の薄い物質に、色彩、模様、イラスト等が描かれたもの。
もしくは、プリズムに直接塗料等で描かれたものであり、構成する、材質、塗料等には、何ら制限はない。
【００１２】  構成単位について説明する。
支持体（１）に直交する面に対して対称なプリズム（２）に、投影画像体（３）を貼付、または塗料で描いた後、貼付した面を対称面として、プリズム（２）を二つ合わせたものを構成単位とする。
【００１３】  全体構成について説明する。
支持体（１）の一つの面に構成単位を隙間無く、平行に接着し、支持体（１）を構成単位で埋め尽くす。
または、そのような形状をした一体成型体を全体構成とする。
【実施例１】
【００１４】  本発明の実施例を示すが、実施例により、本発明に制限が加えられるものではない。
支持体（１）ａ    材質：アクリル    厚さ：１ｍｍ    大きさ：Ａ４版
プリズム（２）ａ    材質：アクリル    形状：三角柱であり、底面は２ｍｍ×２ｍｍの直角二等辺三角形。
投影画像体（３）ａ    材質：塩化ビニル    厚さ：０．１ｍｍ    大きさ：Ａ４版
接着方法は、すべて透明の両面テープ使用。【００１５】  照度の評価について説明する。
一辺４０ｃｍの立方体の段ボール箱の一つの面にＡ４版大に切り抜きを作り、そこに厚さ３ｍｍのアクリル板を固定し、外部から入る光が、アクリル板の対面に届く光量をコントロール（１００％）として、以下の条件との比較を行った。
（イ）実施例１
（ロ）実施例１同形状の波板アクリル板
（ハ）開孔率５０％の紙
これらの対面と側面の照度を、太陽電池に小型電流メーターを直列につないだ装置を使用し、そのメーター値で比較した。【００１６】
【表１】
2011002798.tif 000003
【００１７】  実施例１や、同形状のアクリル板では、プリズム（２）による屈折により、外部からの光は対面に届く量が半分程度に減少しているが、側面に対面に届く光量とほぼ同程度が届いており、全体としては、ほとんどの光は、部屋の中を照らしていることが確認できた。
【符号の説明】
【００１８】  １  支持体
２  プリズム
３  投影画像体
４  プリズムの角度θ
５  外部から室内を見たときの光路
６  室内から外部を見たときの光路
【図１】
2011002798.tif 000004
【図２】
2011002798.tif 000005
【図３】
2011002798.tif 000006
【図４】
2011002798.tif 000007